(57)【要約】      （修正有）【課題】楽に綺麗に、効率良く刈払いができるバリカン式刈払機を提供する。【解決手段】操作桿２の後端部に装着されているエンジンＥの回転動力を操作桿２の前端部に取付た減速装置３の内の減速機構で減速させて、減速装置３の下部に取付けられたバリカン刃装置１０のバリカン刃１１、１２を交互に摺道させることにより刈払い作業を行う作業機であり、刈払機１の後部を肩掛けベルトＢを利用して、作業者の肩から吊り下げ、操作桿２を両手で持って操作しながら、平地での刈払い作業をしている状態とバリカン刃装置１０の向きが、操作桿２の前方に向けられた状態で示している。【選択図】図５
0003126933.tif 000002
【実用新案登録請求の範囲】
【請求項１】
エンジン又はモータによる回転動力を、操作桿前端部に取り付けた減速装置内で減速させ、この減速させた回転動力で減速装置の下方に接続されているバリカン刃装置のクランク機構又はカム機構を駆動させて、バリカン刃を駆動させるバリカン式刈払機であって、
前記減速装置のケース部は、入力側になる一方の分割ケースと、出力側になる他方の分割ケースとが、双方のケース内に渡って配設された中間横軸を中心にして回動自在に組み付けられてなり、一方の分割ケースには、円弧形状の長孔よりなる締結部材案内孔が形成された角度調整板が前記回動に沿う方向に突出して設けられ、この角度調整板と、他方の分割ケースの外壁面、又は他方の分割ケースから角度調整板に沿う方向に突出して設けられた受板とが締結解除可能に締結されて、バリカン刃の上下回動と、所望の回動傾斜角度における係止が可能となり、
減速装置のケース部の下端部に形成されている環状開口縁部と、バリカン刃装置のケース部の上端部形成されている環状開口縁部とが、減速装置からバリカン刃装置に動力を伝達する出力側縦軸を中心にして横回動自在に組み付けられており、減速装置の環状開口縁部の周囲に形成されているフランジ部と、減速ギヤケースの下端開口縁部の周囲面とが、フランジ部の上面に形成されている案内孔内に突入させた締結部材で締結解除可能に締結されて、バリカン刃の前方から横方向に至る範囲内の横回動と、所望の横回動角度における係止が可能となるように構成されていることを特徴とするバリカン式刈払機。
【請求項２】
操作桿の先端部が装着されている一方の分割ケースから後方に向けて操作桿支持アームが突出され、この操作桿支持アームの後端部に、操作桿先端近傍部を保持させるとともに、操作桿の高さ調整が可能な操作桿保持部材が装着されている請求項１に記載のバリカン式刈払機。
【請求項３】
操作桿に、刈払い高さを一定高さにさせる車輪が取付部材を介して、高さ調整自在、且つ着脱自在に取り付けられている請求項１又は２に記載のバリカン式刈払機。
【考案の詳細な説明】
【技術分野】
【０００１】  本考案は、バリカン刃の向きを、所望の上下回動方向に調整でき、且つ、前方から横方向の範囲内で横回動方向に調整できるバリカン式刈払機に関する。
【背景技術】
【０００２】  バリカン式の刈払機は、生垣の刈払い、庭木の枝葉の刈払い、芝や雑草などの刈払いなどに用いられるため、バリカン刃装置を操作桿に対して刈払い作業がし易い向きに調整させることができる刈払機が望まれる。【０００３】  バリカン刃装置の向きの調整において、例えば、特許文献１に記載の刈払機では、レシプロ刃（バリカン刃装置）を所望の上下回動角度に調整できるように、電動ギヤケースと刈刃駆動ギヤケースとが上下回動自在に組み付けられ、刈刃駆動ギヤケース後端部から上方に向けて角度調整部材を突出させ、角度調整部材に形成されている円弧状の溝から操作桿に向けてノブを締結させてある。【０００４】  バリカン刃装置の上下回動方向の調整と横回動方向の調整とができる刈払機用バリカン刃装置の公知文献もある（特許文献２）。
特許文献２の記載によれば、このバリカン刃装置は、中空円筒（操作桿）の先端部に設けた回動部に回転定着フックが付く回動部と嵌合し、中空円筒に取り付けた締着保持板とバリカン刃装置に設けた支持板とを着脱自在になるように取り付け、回動部からの回動をクランク装置で変動させてバリカン刃が作動し、前記回転部の周囲に設けた角度調整部により、バリカン刃装置の角度を１８０度の範囲で変位でき、前記締着保持板に設けた調整孔でバリカン刃装置の角度を上下方向に変位できる手段を講じている。
【特許文献１】特許第３４５７３９９号公報
【特許文献２】特開２００３−２７号公報
【考案が解決しようとする課題】
【０００５】  しかしながら、特許文献１に記載の刈払機のように、操作桿に対してレシプロ刃の上下回動方向の調整ができるが、レシプロ刃を横方向に回動させることができない構造の刈払機は、レシプロ刃を柄の前方に向けた姿勢で刈払い作業が行われるので、長時間続く、平地での刈払い作業は、作業者は肩掛けベルトを利用して刈払機を肩から吊り下げて、操作桿を両手で持って左右に振る方向に移動させて行われるが、エンジンと減速装置とレシプロ刃の重量による負担が大きく、作業が疲れ、作業効率も良くなかった。また、刈払い跡が綺麗に揃った見栄えの良い草地にすることが容易ではなかった。
【０００６】  特開２００３−２７号公報に記載の刈払機用バリカン刃装置は、バリカン刃装置の上下回動方向の調整と、横回動方向の調整が行なえることを目的とするが、この刈払機用バリカン刃装置は、バリカン刃装置の上下回動範囲が、締付保持板に設けた調整孔の長さの範囲内であるため、特許文献１の図７（ｂ）に示す範囲までバリカン刃装置を回動させることができなかった。
また、この刈払機用バリカン刃装置は、特許文献２における明細書の記載及び図１，図２では、バリカン刃装置の上下回動構造時の動力伝達構造の理解が困難である。
【０００７】  本考案は、バリカン刃の向きを、所望の上下回動方向に調整でき、且つ、前方から横方向の範囲内で横回動方向に調整できるものであり、バリカン刃の上下回動調整できる範囲が格段に広範囲であるため、生垣の上面の刈払い、傾斜面における刈払いが、楽な姿勢ででき、とくに、バリカン刃を操作桿の横方向に向けて、車輪で前進走行させながら、楽に、しかも、綺麗に、効率良く刈払いができるバリカン式刈払機を提供することを課題とする。
【課題を解決するための手段】
【０００８】  請求項１によるバリカン式刈払機は、エンジン又はモータによる回転動力を、操作桿前端部に取り付けた減速装置内で減速させ、この減速させた回転動力で減速装置の下方に接続されているバリカン刃装置のクランク機構又はカム機構を駆動させて、バリカン刃を駆動させるバリカン式刈払機であって、
前記減速装置のケース部は、入力側になる一方の分割ケースと、出力側になる他方の分割ケースとが、双方のケース内に渡って配設された中間横軸を中心にして回動自在に組み付けられてなり、一方の分割ケースには、円弧形状の長孔よりなる締結部材案内孔が形成された角度調整板が前記回動に沿う方向に突出して設けられ、この角度調整板と、他方の分割ケースの外壁面、又は他方の分割ケースから角度調整板に沿う方向に突出して設けられた受板とが締結解除可能に締結されて、バリカン刃の上下回動と、所望の回動傾斜角度における係止が可能となり、
減速装置のケース部の下端部に形成されている環状開口縁部と、バリカン刃装置のケース部の上端部形成されている環状開口縁部とが、減速装置からバリカン刃装置に動力を伝達する出力側縦軸を中心にして横回動自在に組み付けられており、減速装置の環状開口縁部の周囲に形成されているフランジ部と、減速ギヤケースの下端開口縁部の周囲面とが、フランジ部の上面に形成されている案内孔内に突入させた締結部材で締結解除可能に締結されて、バリカン刃の前方から横方向に至る範囲内の横回動と、所望の横回動角度における係止が可能となるように構成されている。
【０００９】  バリカン刃装置は、バリカン刃と、バリカン刃を前後に摺動させるリンク機構又はカム機構と、バリカン刃の保持部材と、バリカン刃装置のケース部などで構成されるものを指し、減速装置はバリカン刃装置に含まれないものとするが、減速装置をバリカン刃装置の一部に含める考え方でも、本考案の趣旨に変わりがない。
【００１０】  本考案のバリカン式刈払機の使用において、刈払い面が、生垣や背丈のある植木、傾斜地などには、上下回動方向の範囲内の刈払いがし易い向きにバリカン刃を調整する。この調整は、締結部材を緩めたり、締め付ける操作をすることで行われ、締結部材は、例えば、ボルト、ナット、蝶ナット、ハンドル付きボルト、クランプなどが挙げられる。
また、本考案のバリカン式刈払い機は、操作桿を横方向に向けて前進しながら、芝や雑草などを刈払うこともでき、バリカン刃装置を横回動させて係止させる場合にも、これに対応した締結部材を操作して行なう。
【００１１】  請求項２のバリカン式刈払機は、更に、操作桿の先端部が装着されている一方の分割ケースから後方に向けて操作桿支持アームが突出され、この操作桿支持アームの後端部に、操作桿先端近傍部を保持させるとともに、操作桿の高さ調整が可能な操作桿保持部材が装着されている。
【００１２】  本考案のバリカン式刈払機は、バリカン刃の上下回動とは別の構造で、操作桿だけを上下回動方向に調整できる。このため、背丈に差がある人どうしでも、１台の刈払い機を楽に使いこなすことができる。操作桿の高さ調整後は、操作桿支持アームと操作桿保持部材は、操作桿を補強するためにも利用される。
【００１３】  請求項３のバリカン式刈払機は、上記いずれかの構成を有し、更に、操作桿に、刈払い高さを一定高さにさせる車輪が取付部材を介して、高さ調整自在、且つ着脱自在に取り付けられている。
【００１４】  この車輪は、バリカン刃を地面から浮かした一定の高さにさせることと、作業者のバリカン式刈払機による重量負担を大幅に軽減させることと、バリカン刃を操作桿の横方向に向けて、バリカン刃の片側を前方に向けて、車輪で走行させながら刈払い作業ができるようにするためにある。
この車輪は、１輪又は２輪のものが該当する。
【考案の効果】
【００１５】  本考案のバリカン式刈払機によれば、バリカン刃の向きを、上下回動方向と横回動方向とを合わせた所望の向きに調整できるため、バリカン刃の向きを、刈払い作業し易い最適な向きにすることができるようになった。
【００１６】  請求項２のバリカン式刈払機によれば、操作桿の補強が図られるだけでなく、バリカン刃の上下回動調整とは別に、操作桿の上下回動方向の調整が独自に行えるため、背丈の違う人でも、背丈に合わせたバリカン刃の角度調整ができる。
【００１７】  請求項３のバリカン式刈払機によれば、車輪を利用して、バリカン刃装置を地面から一定の高さに維持させることができるので、刈払機の重量負担が大幅に軽減され、刈払い作業を楽にさせることができるようになった。とくに、バリカン刃を操作桿の横方向に向けた姿勢で、前進走行させながら刈払い作業ができるため、刈払い跡が揃っていて見栄えが良くなり、刈払い作業効率を向上させることができる。
【考案を実施するための最良の形態】
【００１８】  本考案を実施するための最良の形態は、次の実施例のバリカン式刈払機である。
【実施例】
【００１９】  図１（ａ）は本考案実施例によるバリカン式刈払機の１使用例を示した側面図であり、図１（ｂ）はこの使用時におけるバリカン刃装置を向きを示した平面図である。
図１（ａ）に示す本考案実施例のバリカン式刈払機（以下、本実施例の刈払機、と略称する。）は、操作桿２の後端部に装着されているエンジンＥの回転動力を、操作桿２の前端部に取り付けた減速装置３内の減速機構で減速させて、減速装置３の下部に取り付けられたバリカン刃装置１０のバリカン刃１１，１２を交互に摺動させることにより刈払い作業を行う作業機であり、図１（ａ）では、本実施例の刈払機１の後部を肩掛けベルトＢを利用して、作業者の肩から吊り下げ、操作桿２を両手で持って操作しながら、平地での刈払い作業をしている状態を示しており、図１（ａ）及び（ｂ）では、バリカン刃装置１０の向きが、操作桿２の前方に向けられた状態で示している。【００２０】  図２（ａ）は本実施例の刈払機の他の使用例を示した側面図であり、図２（ｂ）はこの使用時におけるバリカン刃装置を向きを示した平面図である。
図２（ａ）及び（ｂ）に示す使用例では、本実施例の刈払機１に車輪Ｗが取り付けられ、バリカン刃装置１０が、操作桿２を前方に向けて所持した作業者から見て、右９０度方向となる横方向に向けられている。車輪Ｗは、本実施例の刈払い機１の前部を地面から浮かした同じ高さを維持させながら、前進走行させて、横向けにしたバリカン刃１１，１２の前方又は後方側で芝や雑草などを刈り払う場合に使用すると、便利である。【００２１】  図３（ａ）は本実施例の刈払機の前部を示した拡大側面図、（ｂ）は減速装置を正面から見た図であり、図４（ａ）は操作桿に対してバリカン刃装置を斜め上方に向けた状態で示した側面図、（ｂ）は操作桿に対してバリカン刃装置を斜め下方に向けた状態で示した側面図である。【００２２】  図３（ａ）に示すように、本実施例の刈払機１は、操作桿２の先端部は、減速装置３の片側に、上下回動自在に支持されているが、減速装置３の片側から後方に向けて操作桿支持アーム７０が突出され、この操作桿支持アーム７０の後端部に操作桿保持部材７１が装着されて、この操作桿保持部材７１で操作桿２の先端近傍部が保持されている。
このため、操作桿２の上下回動は係止された状態にあるが、操作桿支持アーム７０の後端部と操作桿保持部材７１とが、双方の装着面に形成されている長孔７０ａ，７１ａ内に締結部材７３，７３を挿入して締結することにより装着されているため、締結部材７３，７３の締結を一旦緩めることにより、操作桿２の高さ調整ができる。【００２３】  本実施例の刈払機１は、バリカン装置１０の姿勢を、図３（ａ）に示す姿勢から、図４（ａ）及び（ｂ）に示すように、操作桿２に対して、バリカン装置１０を上下方向に大きく回動させて係止させる調整ができる。
この調整は、図３（ａ）及び（ｂ）に示すように、減速装置３のケース部３０を縦方向に回動自在に組み付けた構成にすることにより可能となる。これを可能にする減速装置３の詳細な構造については、後に詳述する。【００２４】  操作桿２の先端部が装着されている一方の分割ケース３１に対して、バリカン装置１０が装着されている他方の分割ケース３２における、所望の回動角度における係止は、図３（ａ）及び（ｂ）、図４（ａ）及び（ｂ）に示すように、他方の分割ケース３２の外壁から外側方向に、円弧形状の長孔で形成された案内孔７ａを有するに角度調整板７を突出させて形成し、一方の分割ケース３１の外壁から角度調整板７に沿う方向に受部８を突出形成させて、ボルトよりなる締結部材９を、案内孔７ａ内から、受部８に固定されているスペーサ部２０のねじ孔内に螺入させて締結させる構造で行われている。【００２５】  この案内孔７ａの広がり角αは、例えば、９０°の角度であり、通常の使用では、締結部材９は、案内孔７ａの４５°の角度辺りに位置する。
このようにすると、受部８側に支持された締結部材９が、案内孔７ａ内を移動する範囲内で、他方の分割ケース３２を上下回動させることができ、バリカン装置１０を所望の回動角度で係止させる場合には、この角度で締結部材９を強く締結させればよい。【００２６】  以下、バリカン刃装置１０の横方向に向けた回動、及び上下方向に向けた回動、並びにこれら回動姿勢を維持をさせるために対応させた、減速装置３とバリカン刃装置１０の構造について詳述する。【００２７】  図５は減速装置３とバリカン刃装置１０とが上下に組み付けられた動力伝達部を示した正面断面図であり、図６はバリカン装置１０のケース部１７内の構造を示した平面断面図であり、図７及び図８はバリカン刃装置１０を横回動させる構造を示した平面図である。
なお、図５では、操作桿２に対してバリカン刃装置１０を横９０度方向に向けた状態で示している。【００２８】  図５に示すように、減速装置３のケース部３は、２個の分割ケース３１，３２が組み付けられてなり、その組付けは、双方の分割ケース３１，３２の対向側に形成されている段付環状縁部３１ａ，３２ａどうしを、回動自在な状態が維持されるように嵌合された構造になっている。【００２９】  このケース部３内に配設されている減速機構は、入力側に位置する分割ケース３１内に配設された入力側縦軸３３と、双方の分割ケース３１，３２の各側端部に形成された段付き開口部３１ｃ、３２ｆ内に至り配設された中間横軸３７と、出力側に位置する分割ケース３２の下部内から下方に突出させて配設された出力側縦軸４５とが、傘歯車３６と傘歯車３８とによる噛み合い、傘歯車４３と傘歯車４８とによる噛み合いにより連動して、出力側縦軸４５が低速回転する構造となっている。【００３０】  入力縦軸３３には、エンジンによる回転動力を、操作桿内に配設された動力伝達軸とジョイントを介した出力軸（いずれも図示せず。）が連結されて回転動力が入力される。【００３１】  双方の分割３１，３２の組付け状態は、各分割ケース３１，３２の段付き開口部３１ｃ、３２ｆ内に、外側からベアリング３９，４０を挿入し、各ベアリング３９，４０内に中間横軸３７の両端近傍部を挿入保持させて、各ベアリング３９，４０の外側に突出した中間横軸３７の両端部にナット４１，４２を螺着して、中間横軸３７の抜け外れを防ぐ構造にすることにより図られている。【００３２】  出力側に位置する分割ケース３２における出力側縦軸４５の周囲は、出力側縦軸４５を片支持させたベアリング４６を保持させた短筒部３２ｂが下方に向けて形成され、この短筒部３２ｂの下端部を形成している開口縁部３２ｃの周囲には、開口縁部３２ｃを突出させた状態でフランジ部３２ｄが形成されており、フランジ部３２ｄの上面には、図７及び図８に示すように、出力側縦軸４５を中心とする円弧角Ｒが９０°に設定された円弧形状の長孔よりなる締結部材案内孔３２ｅ，３２ｅ，３２ｅが等間隔ごとに形成されている。【００３３】  図５及び図６に示すように、バリカン刃装置１０は、上下に重ね合わせたバリカン刃１２，１１、バリカン刃１２，１１を交互に前後摺動させるカム機構５１、バリカン刃１２，１１の保持部材１４、バリカン刃装置１０のケース部１７などが組付けられて構成されている。バリカン装置１０のケース部１７は、底板部１８とスペーサ枠部１５と上板部１６とが重ねられてボルト５４，５４、・・で装着されて組付けられたもので構成され、このケース部１７内に、バリカン刃１２，１１及び保持部材１４の後端部と、カム機構５１とが保持されており、カム機構５１は前記出力側縦軸４５に装着されている。【００３４】  バリカン装置１０のケース部１７の上面を形成している上板部１６には、分割ケース３２の下端部に形成されている開口縁部３２ｃが突入する開口縁部１６ａが形成され、この開口縁部１６ａに沿って開口縁部３２ｃを上方から突入させるとともに、前記フランジ部３２ｄを前記上板部１６の上面に載置させた姿勢で、ボルトで構成される締結部材５３が、上��部１６の上方から締結部材案内孔３２ｅを経て、前記上板部１６上面のねじ孔内に螺入されている。他の２本の締結部材５３，５３も同様である。【００３５】  このようにして、分割ケース３２とバリカン装置１０のケース部１７とが、バリカン刃装置１０のケース部１７状面に装着された締結部材５３，５３，５３が、締結部材案内孔３２ｅ，３２ｅ，３２ｅ内を移動することができる範囲、即ち９０°に設定された範囲内で、バリカン刃装置１０を横方向に回動させることができ、この回動は、前記出力側縦軸４５を中心にして行われ、出力側縦軸４５の下端部はバリカン装置１０のケース部１７の下部に、ベアリング５０を介して保持されている。【００３６】  図９は本実施例の刈払機１に車輪Ｗを取り付けて示した刈払機下部の側面図、図１０は同じく後面図である。
図９及び図１０に示すように、車輪Ｗは横向けにしたバリカン刃装置１０を避けるため、バリカン刃装置１０の横向けにした方向と反対側に設けられ、取付部材７５は、車輪Ｗを装着した縦パイプ７６と、操作桿２とを連結させる横パイプ７２と、縦パイプ７６を横パイプ７２に装着させる装着部材７３と、横パイプ７２を操作桿２に装着させる装着部材７４とで構成され、車輪Ｗは、縦パイプ７６に沿った高さ調整と、横パイプ７２に沿った横移動調整が可能である。
【図面の簡単な説明】
【００３７】
【図１】（ａ）は本考案実施例によるバリカン式刈払機の１使用例を示した側面図、（ｂ）はこの使用時におけるバリカン刃装置を向きを示した平面図である。
【図２】（ａ）は本実施例の刈払機の他の使用例を示した側面図、（ｂ）はこの使用時におけるバリカン刃装置を向きを示した平面図である。
【図３】（ａ）は本実施例の刈払機の前部を示した拡大側面図、（ｂ）減速装置を正面から見た図である。
【図４】（ａ）は操作桿に対してバリカン刃装置を斜め上方に向けた状態の側面図、（ｂ）は操作桿に対してバリカン刃装置を斜め下方に向けた状態の側面図である。
【図５】減速装置とバリカン刃装置とが上下に組み付けられた動力伝達部を示した正面断面図である。
【図６】バリカン装置のケース部内の構造を示した平面断面図である。
【図７】バリカン刃装置を横回動させる構造を示した平面図である。
【図８】バリカン刃装置を横回動させる構造を示した平面図である。
【図９】本実施例の刈払機に車輪を取り付けて示した刈払機下部の側面図である。
【図１０】同じく後面図である。
【符号の説明】
【００３８】  １      本考案実施例のバリカン式刈払機
２      操作桿
Ｅ      エンジン
３      減速装置
７      角度調整板
７ａ    案内孔
８      受板
９      締結部材
１０      バリカン刃装置
１１，１２  バリカン刃
１７      バリカン装置１０のケース部
３０      減速装置３のケース部
３１      一方の分割ケース
３２      他方の分割ケース
３２ｄ    フランジ部
３２ｅ    締結部材案内孔
３３      入力側縦軸
３７      中間横軸
４５      出力側縦軸
７０      操作桿支持アーム
７１      操作桿保持部材
７５      取付部材
７６      縦パイプ
Ｗ      車輪
【図１】
0003126933.tif 000003
【図２】
0003126933.tif 000004
【図３】
0003126933.tif 000005
【図４】
0003126933.tif 000006
【図５】
0003126933.tif 000007
【図６】
0003126933.tif 000008
【図７】
0003126933.tif 000009
【図８】
0003126933.tif 000010
【図９】
0003126933.tif 000011
【図１０】
0003126933.tif 000012